(57)【要約】      （修正有）【課題】  係止具の脱落を防止し、取付安定性の向上を図ることのできる棚受け具の取付構造を提供すること。【解決手段】  縦材１ａと横材１ｂとにより矩形枠状に組み立てられた縦フレーム１の縦材内側面に形成された、複数の取付穴２の内の所望の取付穴に係止具３が取り付けられ、係止具脱落防止用のカバー４が、縦フレーム１の縦材内側面に対向して装着され、カバー４と縦フレーム１の縦材との間に一定の間隙が形成され、この間隙に挿入される係合部６ｃが係止具３と係合し、棚受け具６が縦フレーム１に取り付けられている。【選択図】図４
2006198283.tif 000002
【特許請求の範囲】
【請求項１】
縦材と横材とにより矩形枠状に組み立てられた縦フレームの縦材内側面に形成された、複数の取付穴の内の所望の取付穴に係止具が取り付けられ、係止具脱落防止用のカバーが、縦フレームの縦材内側面に対向して装着され、カバーと縦フレームの縦材との間に一定の間隙が形成され、この間隙に挿入される係合部が係止具と係合し、棚受け具が縦フレームに取り付けられていることを特徴とする棚受け具の取付構造。
【請求項２】
棚受け具は、縦フレームにおいて前後に配置される一対の縦材間に架設される横長の部材であり、水平な棚受け部と、棚受け部の一端から上向きに垂設された支持部とを備え、支持部の左右両端部に棚受け部と反対側に向かう係合部を有する請求項１記載の棚受け具の取付構造。
【請求項３】
棚受け具の係合部はフックを上下に備え、それぞれのフックが係止具に係合する請求項２記載の棚受け具の取付構造。
【発明の詳細な説明】
【技術分野】
【０００１】
本願発明は、縦材と横材とにより矩形枠状に組み立てられた縦フレームが、複数対向して配設される収納体において、棚板の取付けに使用される棚受け具の取付構造に関するものである。
【背景技術】
【０００２】
縦材と横材とが組み合わされ、矩形枠状に組み上げられた縦フレームが、複数対向して配設される収納体が知られている（たとえば、特許文献１参照）。
【０００３】
一方、収納体に棚板を取り付けるために、様々な棚受け具が提供されている（たとえば、特許文献２参照）。
【特許文献１】特開平７−２０７９１７号公報
【特許文献２】実開平６−１９６７２号公報
【発明の開示】
【発明が解決しようとする課題】
【０００４】
特許文献２等に記載された棚受け具は、ダボ等の係止具により所定の部位に取り付けられるようになっており、このため、係止具が取付穴から脱落することがしばしばあり、棚受け具の取付安定性に欠けるという問題がある。
【０００５】
本願発明は、このような事情に鑑みてなされたものであり、係止具の脱落を防止し、取付安定性の向上を図ることのできる棚受け具の取付構造を提供することを解決すべき課題としている。
【課題を解決するための手段】
【０００６】
本願発明は、上記の課題を解決するために、第１には、縦材と横材とにより矩形枠状に組み立てられた縦フレームの縦材内側面に形成された、複数の取付穴の内の所望の取付穴に係止具が取り付けられ、係止具脱落防止用のカバーが、縦フレームの縦材内側面に対向して装着され、カバーと縦フレームの縦材との間に一定の間隙が形成され、この間隙に挿入される係合部が係止具と係合し、棚受け具が縦フレームに取り付けられていることを特徴としている。
【０００７】
本願発明は、第２には、上記第１の特徴において、棚受け具は、縦フレームにおいて前後に配置される一対の縦材間に架設される横長の部材であり、水平な棚受け部と、棚受け部の一端から上向きに垂設された支持部とを備え、支持部の左右両端部に棚受け部と反対側に向かう係合部を有することを特徴としている。
【０００８】
本願発明は、第３には、上記第２の特徴において、棚受け具の係合部はフックを上下に備え、それぞれのフックが係止具に係合することを特徴としている。
【発明の効果】
【０００９】
本願の第１の発明によれば、棚受け具の取付けに使用される係止具の脱落を防止することができ、棚受け具の取付安定性が向上する。
【００１０】
本願の第２の発明によれば、上記第１の発明による効果に加え、棚板を安定して支持することができ、棚板上に置かれる物品の落下を防止することができる。
【００１１】
本願の第３の発明によれば、上記第２の発明による効果に加え、棚受け具の取付強度が高まり、より安定した取付状態を実現する。
【発明を実施するための最良の形態】
【００１２】
図１は、本願発明の棚受け具の取付構造の一実施形態の要部を示した斜視図である。
【００１３】
縦フレーム１は、前後一対として配置される縦材１ａと両縦材１ａを上下両端部において繋ぐ横材１ｂとから矩形枠状に形成されている。縦フレーム１は金属製である。
【００１４】
縦フレーム１の縦材１ａの内側面（両縦材１ａの対向する一側面）には、縦材１ａの長さ方向に左右２列として取付穴２が開口形成されている。この取付穴２は、上下２個を一組とし、複数組が、縦フレーム１の縦材１ａの内側面に一定間隔で配置されている。
【００１５】
各縦材１ａにおいて、取付穴２の内の一組の取付穴２、すなわち、近接する２個の取付穴２に、ダボ、ビス等の係止具３が取り付けられている。係止具３は、縦材１ａ間では同一の高さに設けられ、互いに対向している。
【００１６】
この状態において、縦フレーム１の各縦材１ａの内側面に対向して、図２に示したように、カバー４が装着されている。カバー４は、縦フレーム１の縦材１ａとの間に一定の間隙５が形成されるように装着されている。
【００１７】
図３は、棚受け具の一実施形態を示した斜視図である。
【００１８】
棚受け具６は、図１に示した縦フレーム１において前後に一対配置される縦材１ａ間に架設される長さを有する横長の部材となっている。
【００１９】
棚受け具６は、水平な棚受け部６ａと、棚受け部６ａの一端から上向きに垂設された支持部６ｂとを備えている。支持部６ｂの左右両端部には係合部６ｃが設けられ、係合部６ｃは、棚受け部６ａと反対側に向かっている。係合部６ｃは、一部が切り欠かれ、図１および図２に示した係止具３と係合する、下向きのフック７を上下に２つ備えている。符号８は、棚抑え部であり、棚受け部６ａの左右両端部から立ち上げられている。この棚抑え部８は、棚受け部６ａ上に載置される棚板の端面に接触可能となっており、棚板の落下を防止する。
【００２０】
このような棚受け具６は、金属製であり、板金加工により形成されている。
【００２１】
棚受け具６は、図４に示したように、縦フレーム１の縦材１ａとカバー４との間の間隙５を通じて係合部６ｃを挿入し、係合部６ｃに備えたフック７を縦フレーム１の縦材１ａの内側面に取り付けられた係止具３と係合させることにより、縦フレーム１の縦材１ａに取り付けられる。
【００２２】
具体的には、たとえば、係合部６ｃに備えた下側のフック７が縦フレーム１の縦材１ａ側に突き出るように棚受け具６を斜めに傾け、この状態において、下側のフック７を、縦フレーム１の縦材１ａに取り付けられた下側の係止具３の上方において間隙５内に挿入する。次いで、棚受け具６の上側が縦フレーム１の縦材１ａに近づくように棚受け具６を回動させ、係合部６ｃに備えた上側のフック７を、縦フレーム１の縦材１ａに取り付けられた上側の係止具３の上方において間隙５内に挿入する。この後、棚受け具６を下方に下ろし、各フック７を係止具３に係合させる。その結果、図５に示したように、棚受け具６は、縦フレーム１において前後に配置された一対の縦材１ａ間に架設される。
【００２３】
このような棚受け具６の取付けに際し、縦フレーム１の縦材１ａに取り付けられた係止具３は、縦材１ａの内側面に対向するカバー４によって脱落が防止される。したがって、棚受け具６の取付けを安定して行うことができる。縦フレーム１の縦材１ａとカバー４との間には間隙５が形成されているので、棚受け具６の取付けがカバー４により阻害されることはない。係合部６ｃは、間隙５内にスムーズに差し込むことができる。
【００２４】
また、棚受け具６は、横長で、縦フレーム１において前後に一対として配置された縦材１ａ間に架設することができるため、棚受け部６ａにおいて棚板を十分安定に支持することができる。棚板上に置かれる物品の落下を防止するのに有効となる。
【００２５】
さらに、棚受け具６の係合部６ｃはフック７を上下に備え、それぞれのフック７を係止具３に係合させることができるので、棚受け具６の取付強度が高まり、より安定した取付状態が実現される。
【図面の簡単な説明】
【００２６】
【図１】本願発明の棚受け具の取付構造の一実施形態の要部を示した斜視図である。
【図２】本願発明の棚受け具の取付構造の一実施形態の要部を示した側面図である。
【図３】棚受け具の一実施形態を示した斜視図である。
【図４】図３に示した棚受け具の取付方法の一例を示した要部斜視図である。
【図５】図３に示した棚受け具が縦フレームに取り付けられた状態を示した要部斜視図である。
【符号の説明】
【００２７】
１    縦フレーム
１ａ    縦材
１ｂ    横材
２    取付穴
３    係止具
４    カバー
５    間隙
６    棚受け具
６ａ    棚受け部
６ｂ    支持部
６ｃ    係合部
７    フック
８    棚抑え部
【図１】
2006198283.tif 000003
【図２】
2006198283.tif 000004
【図３】
2006198283.tif 000005
【図４】
2006198283.tif 000006
【図５】
2006198283.tif 000007